(57)【要約】【課題】織物シートからなる網状の目地テープにおいて、目ずれやほつれを抑制する。【解決手段】長尺の帯状をなす織物シートからなる網状の目地テープ１１において、幅方向の中間部に、パテを通す大きさの目の粗い大目合い部２１を長手方向に沿って形成し、幅方向の両側の縁部に、大目合い部２１よりも目の細かい小目合い部２２を長手方向に沿って形成する。大目合い部２１と小目合い部２２は一体であり、小目合い部２２は大目合い部２１よりも経糸のみの間隔を狭くして形成する。【選択図】図３
2019044481.tif 000002
【特許請求の範囲】
【請求項１】
長尺の帯状をなす織物シートからなる網状の目地テープであって、
幅方向の中間部に、パテを通す大きさの目の粗い大目合い部を長手方向に沿って有し、
幅方向の両側の縁部に、前記大目合い部よりも目の細かい小目合い部を長手方向に沿って有する
目地テープ。
【請求項２】
前記大目合い部と前記小目合い部が一体である
請求項１に記載の目地テープ。
【請求項３】
前記小目合い部が、前記大目合い部よりも経糸の間隔を狭くして形成された
請求項１または請求項２に記載の目地テープ。
【請求項４】
前記織物シートが、引き揃えられた複数本の糸からなる一組の緯糸と、引き揃えられた複数本の糸からなる一組の経糸で織成されたものであり、
前記経糸のうちの一部の糸と、これ以外の糸が互い違いに前記緯糸に対して織り込まれた
請求項１から請求項３のうちいずれか一項に記載の目地テープ。
【請求項５】
前記織物シートがカレンダー加工されたものである
請求項１から請求項４のうちいずれか一項に記載の目地テープ。
【請求項６】
前記織物シートを構成する糸が無撚糸であり、
裏面に粘着剤層を備えた
請求項１から請求項５のうちいずれか一項に記載の目地テープ。
【発明の詳細な説明】
【技術分野】
【０００１】
この発明は、建物の内装下地に用いられる部材に関し、より詳しくは、たとえば壁の目地の仕上げに用いられる目地テープに関する。
【背景技術】
【０００２】
壁の目地の仕上げには、下記特許文献１に開示されているような帯状のネット地からなる目地テープが用いられていた。
【０００３】
この目地テープは、撚糸からなる経糸と緯糸で織成して構成されている。網目の大きさは全体においてすべて同じである。裏面には粘着剤がコーティングされており、目地部分に固定しやすいように構成されている。
【０００４】
しかしながら、目地テープは経糸と緯糸を織って構成しているものであるので、粘着剤がコーティングされていても、貼り付け固定する時などの取り扱い時に、目ずれを起こしたり、縁がほつれたりして、仕上げ不良の原因になることがある。
【先行技術文献】
【特許文献】
【０００５】
【特許文献１】特公平７−３３７０５号公報
【発明の概要】
【発明が解決しようとする課題】
【０００６】
この発明は、目ずれやほつれを抑制できるようにすることを主な目的とする。
【課題を解決するための手段】
【０００７】
そのための手段は、長尺の帯状をなす織物シートからなる網状の目地テープであって、幅方向の中間部に、パテを通す大きさの目の粗い大目合い部を長手方向に沿って有し、幅方向の両側の縁部に、前記大目合い部よりも目の細かい小目合い部を長手方向に沿って有する目地テープである。
【０００８】
この構成では、両側の縁部に存在する小目合い部が織物シートの縦横の結合状態を強くして、小目合い部自体の目ずれやほつれを抑制するとともに、大目合い部の目ずれも抑制する。
【発明の効果】
【０００９】
この発明によれば、目ずれやほつれの発生を抑えられるので、簡単に良好な目地仕上げが可能となる。
【図面の簡単な説明】
【００１０】
【図１】目地テープの斜視図。
【図２】目地テープの概略構造を示す断面図。
【図３】目地テープを目地に貼り付けた状態を示す断面図。
【図４】目地テープの表面。
【図５】目地テープの大目合い部と小目合い部を示す拡大図。
【発明を実施するための形態】
【００１１】
この発明を実施するための一形態を、以下図面を用いて説明する。
【００１２】
図１に、使用前の目地テープ１１の斜視図を示す。この図に示すように目地テープ１１は、長尺の帯状をなす織物シート１２からなる網状であり、ロール状に巻回されている。巻回状態は、概略構造を模式的に示した図２に示したように織物シート１２の裏面に備えた粘着剤層１３により保持されている。使用に際して目地テープ１１は、必要長さを引き出して切断され、粘着剤層１３を用いて図３に示したように目地１４に対して貼り付けられる。
【００１３】
織物シート１２は、目地１４に貼り付けるのに必要な幅に形成されており、幅方向の中間部に、パテを通す大きさの目の粗い大目合い部２１を長手方向に沿って有し、幅方向の両側の縁部に、大目合い部２１よりも目の細かい小目合い部２２を長手方向に沿って有している。
【００１４】
織物シート１２における大目合い部２１と小目合い部２２の幅は、適宜設定されるが、大目合い部２１の幅については、目地１４のＶカット部１４ａの幅よりも幅広に設定される。
【００１５】
大目合い部２１と小目合い部２２の目合いの大きさは適宜設定され、小目合い部２２の目の大きさについては、細かい方が好ましく、パテをほとんど、あるいはまったく通さないものとしてもよい。
【００１６】
このような大目合い部２１と小目合い部２２は一体である。つまり、緯糸２３と経糸２４を織り込んで一枚の織物として形成されており、全体として継ぎ目による段差のない状態である。このため、大目合い部２１と小目合い部２２の目合いの違いは、経糸２４の間隔を調節してつける。すなわち、図４に示したように、小目合い部２２は大目合い部２１よりも経糸２４の間隔を狭くして形成する。大目合い部２１の目が方形であれば、小目合い部２２の目は縦長の長方形となる。
【００１７】
緯糸２３と経糸２４は、それぞれ引き揃えられた複数本の糸２３ａ，２４ａ，２４ｂで構成される。糸２３ａ，２４ａ，２４ｂの素材には、例えばポリエステルやビニロンなどの適宜のものを使用できるが、糸としては無撚糸であるのが望ましい。
【００１８】
図５の（ａ）に大目合い部２１の拡大図を、（ｂ）に小目合い部２２の拡大図を示す。織物シート１２は、複数本の糸２３ａからなる一組の緯糸２３と、引き揃えられた複数本の糸２４ａ，２４ｂからなる一組の経糸２４で織成されたものであり、経糸２４のうちの一部の糸２４ａと、これ以外の糸２４ｂが互い違いに緯糸２３に対して織り込まれている。
【００１９】
具体的には、図５の（ａ）に見られるように、緯糸２３として２本の糸２３ａを引き揃えて一組としたものを使用し、経糸２４として３本の糸２４ａ，２４ｂを引き揃えて一組としたものを使用する。緯糸２３は一定間隔で配設され、これら緯糸２３に経糸２４が織り込まれるが、このときに、一組の経糸２４のうちの真ん中の１本の糸２４ａと、これを挟む両側２本の糸２４ｂを、互い違いに織り込む。
【００２０】
このように構成することで、織物シート１２のすべての緯糸２３が経糸２４で表裏両側から挟まれた状態になり、糸２３ａ，２４ａ，２４ｂが無撚糸であることと相まって、緯糸２３の膨らみによる凹凸があらわれることを効果的に軽減でき、平滑性を出すことができる。
【００２１】
大目合い部２１では、経糸２４同士の間が緯糸２３同士の間隔と同程度にあいているが、小目合い部２２では、図５の（ｂ）に示したように、経糸２４同士の間隔を大目合い部２１のそれよりも狭くする。これらの図示した間隔は一例であり、その他の間隔としてもよい。
【００２２】
このように織成されて大目合い部２１と小目合い部２２を有する織物シート１２は、カレンダー加工される。カレンダー加工によって平滑性が得られ、厚みの平均化が図れるため、より一層、緯糸２３の存在による凹凸を軽減できる。
【００２３】
また織物シート１２は、前述のように裏面に粘着剤層１３を備えている（図２参照）。粘着剤層１３は、粘着剤を塗布して形成されるが、緯糸２３と経糸２４は複数本の糸２３ａ，２４ａ，２４ｂを引き揃えて構成するうえに、それらの糸２３ａ，２４ａ，２４ｂは無撚糸であるので、図２に一部を拡大して示すように粘着剤が浸み込みやすく（図２中、点を施した部分が浸み込んだ粘着剤）、経糸２４と緯糸２３の結合部分の結合状態が保持される。なお、図２は前述したように概略構造を模式的に示しており、経糸２４と緯糸２３を構成する糸の本数や経糸２４同士の間隔などの詳細は省いて示している。
【００２４】
以上のような構成の目地テープ１１は、大目合い部２１と小目合い部２２を交互に有する基材シート(図示せず)を織成したのち、これをカレンダー加工して、裏面に粘着剤層１３を形成するとともに、大目合い部２１が幅方向の中間部に位置する所定幅に裁断して、ロール状に巻き取ることによって製造される。
【００２５】
大目合い部２１と小目合い部２２は、経糸２４の間隔を変更して構成するので、製造は容易である。
【００２６】
使用に際しては、目地テープ１１を目地１４に対して裏面の粘着剤層１３を用いて貼り付けながら引き出して、所定長さで切断する。このとき目地テープ１１は、突き合わせ部分のＶカット部１４ａに関わらず平らに貼り付ける。
【００２７】
目地テープ１１を構成する織物シート１２の小目合い部２２は、パテを通す大きさの目の粗い大目合い部２１よりも目を細かくしているので、織成されて糸同士が交差する部分の結合が比較的強く、目ずれやほつれを起こしにくい。小目合い部が２２目ずれを起こしにくいので、大目合い部２１の目ずれも抑制される。このため、目地テープ１１の取り扱いや引き出しにおいて、目ずれやほつれを起こすことを抑制できる。
【００２８】
しかも、大目合い部２１と小目合い部２２が一体であるため、前述のような目ずれ抑制はより確実である。そのうえ、緯糸２３と経糸２４は共に、引き揃えられた複数本の糸２３ａ，２４ａ，２４ｂからなるものである上に、糸２３ａ，２４ａ，２４ｂが無撚糸からなり、織物シート１２はカレンダー加工され、さらに織物シート１２の裏面に粘着剤層１３が形成され、その粘着剤が糸２３ａ，２４ａ，２４ｂに浸み込むので、目ずれやほつれの抑制は、より一層確実である。
【００２９】
また、目地テープ１１の幅方向の両側の縁部が小目合い部２２であって、ある程度の硬さが得られる上に、粘着剤層１３が密に形成されることになるので、貼り付けたときに安定した粘着状態を得られる。
【００３０】
目地テープ１１を貼り付けたのち、下塗りパテ(図示せず)を塗る。下塗りパテは、織物シート１２の表面から網目を通って目地１４に密着する。
【００３１】
このときのパテ処理は、前述のように平滑性を有し、緯糸２３の存在による凹凸が軽減されるので、ヘラでこする時の抵抗がなく、作業がしやすい。しかも前述のように目地テープ１１は目地１４に対して安定して粘着するうえに、目ずれやほつれも抑制できるので、下塗り作業は容易にしかも適切に行える。この結果、目地１４部分のきれいな仕上げが容易にできる。
【００３２】
このあと、上塗りパテの塗布やサンディング等の必要な作業を行う。
【００３３】
以上の構成は、この発明を実施するための一形態であって、この発明は前述の構成のみに限定されるものではなく、その他の構成を採用することもできる。
【００３４】
例えば、目地テープ１１は、裏面の粘着剤層１３に離型シートを貼り合わせたものであってもよい。
【００３５】
織物シート１２は大目合い部２１と小目合い部２２の２種類のほか、その中間の目合い部や、小目合い部２２よりも小さい目合いの部分を備えてもよい。連続的に変化する目合いであってもよい。
【符号の説明】
【００３６】
１１…目地テープ
１２…織物シート
１３…粘着剤層
１４…目地
２１…大目合い部
２２…小目合い部
２３…緯糸
２３ａ…糸
２４…経糸
２４ａ，２４ｂ…糸
【図１】
2019044481.tif 000003
【図２】
2019044481.tif 000004
【図３】
2019044481.tif 000005
【図４】
2019044481.tif 000006
【図５】
2019044481.tif 000007